(57)【要約】      （修正有）【課題】ギヤシャフト軸受を支えるハウジングに均一に冷却する冷却機構を備えたギアシャフト軸受装置を提供する。【解決手段】ギアシャフト軸受装置１００は、ギヤシャフト軸１０がハウジング３０に挿入されている転がり軸受２０により支持されており、ギヤシャフト軸１０の回転により転がり軸受２０が回転する。転がり軸受２０からの発熱を冷却する為に、ハウジング３０にギヤシャフト軸１０の軸方向に沿って冷却用貫通孔３１を設けている。即ち、ギヤシャフト軸受装置１００は、ギヤシャフト軸１０を支えるハウジング３０の両端部を貫通させて、冷却液を通過させる冷却用貫通孔３１をハウジング３０の軸方向に沿って複数形成する。このように、比較的安価な構成でありながら、ギヤシャフト軸１０の端部を支持する転がり軸受２０及び軸受装置１００の近傍を効率良く冷却することができ、転がり軸受２０の安定した回転状態を維持することが可能になる。【選択図】図１
0003229483.tif 000002
【実用新案登録請求の範囲】
【請求項１】
軸受を支えるハウジングにおいて、ハウジングの軸方向に貫通する複数の冷却用貫通孔が
円周方向に等間隔で形成されていることを特徴とするギヤシャフト軸受装置。
【考案の詳細な説明】
【技術分野】
【０００１】
本考案は、ギヤシャフト軸受装置に関し、特に、ギヤシャフト軸を支持する軸受装置の回
転に伴う発熱を冷却する構造に関する。
【背景技術】
【０００２】
一般に、軸受は軌道面を有する外輪と内輪の間に配置されたボ−ル又はコロなどの転動
体を備えている。産業機械、工作機械、搬送機械等のギヤシャフト軸の回転を支持するた
めに使用される軸受は、ハウジング等の固着体により本体に固定される。ギヤシャフトの
回転が速くなると、コロガリである軸受よりの発熱で高温になる場合があり、軸受が高温
になると、軸受としての精度の低下や寿命の短縮、作動悪化が生じ、ギヤシャフト軸の回
転を支持する機能を果たせなくなる。その対策として、軸受を冷却して使用するようにし
ている。
【０００３】
このような軸受の冷却対策としては、ボ−ル又はコロなどの転動体に直接噴霧状にした
冷却油（オイルミスト）をかける方法、ハウジングと軸受との間に冷却用溝を有している
ケ−シングを装着する冷却構造、ハウジング外周に冷却エアをかける方法などが提案され
ている（例えば、特許文献１、２及び３参照）。
【先行技術文献】
【特許文献】
【０００４】
【特許文献１】特開平１０−４２５２３号公報
【特許文献２】特開２００６−１２５４８７号公報
【特許文献３】特開２００３−２９０８９１号公報
【考案の概要】
【考案が解決しようとする課題】
【０００５】
しかしながら、ケ−シングの外周に溝加工を行なう場合は、その溝加工に多大な工数を
要する。また、効率的な冷却効果を奏するには、軸受と溝底部との間の厚さを薄くする必
要があるため、ケ−シングの剛性が低下する現象が生じる場合がある。一方、ハウジング
外周に冷却エアをかけることは、熱源である軸受から離れた部位を冷却することになり、
効率的な冷却が困難になるという問題がある。
【０００６】
そこで、比較的安価な構成でありながら、ギヤシャフト軸の端部を支持する軸受及び軸
受装置の近傍を効率良く冷却することができ、回転軸受の安定した回転状態を提供するこ
とが可能な技術の開発が望まれていた。
【０００７】
本考案は上述のような事情から為されたものであり、その目的は、比較的安価な構成であ
りながら、ギヤシャフト軸の端部を支持する軸受及び軸受装置の近傍を効率良く冷却する
ことができ、回転軸受の安定した回転状態を提供することが可能な技術を提供することに
ある。
【課題を解決するための手段】
【０００８】
本考案者は、上記目的を達成するため種々検討を重ねた結果、ギヤシャフトを支えるハウ
ジングの両端部を貫通させて、冷却液を通過させる冷却用貫通孔をハウジングの軸方向に
沿って複数形成することを想到するに至った。即ち、本考案に係るギヤシャフト軸受装置
は、ギヤシャフトを支えるハウジングの両端部を貫通させて、冷却液を通過させる冷却用
貫通孔がハウジングの軸方向に沿って複数形成されていることを特徴としている。  
【０００９】
また、上記冷却用貫通孔が継手部材を介して配管によりハウジングの外部で連結され冷
却液の供給・排給を行なう構成とするのが好適である。
【００１０】
また、ギヤシャフト軸受装置は冷却用貫通孔を相互に連通する孔連結用溝を有するハウジ
ングが溝密封用部材を挟み込んで押え蓋により密封されることにより冷却液の循環を行な
う構成としも良い。
【００１１】
冷却用貫通孔を上記のように配置することにより、ハウジングの外側よりも軸受に近いハ
ウジングの内部に設けた冷却用貫通孔を通してハウジングの円周方向で均一な冷却を行な
うことができる。即ち、ハウジングの外側を空冷することよりも、ギヤシャフト軸の端部
の軸受を効率よく冷却することができる。
【００１２】
冷却用貫通孔の数が多いほど冷却効果を高めることができるので、冷却用貫通孔は複数個
有するのが望ましい。但し、多過ぎると、外周に溝のある場合と同様に、ハウジングの機
械的強度が低下し、加工コストも増加することになる。一方、冷却用貫通孔が２個の場合
は、円周方向に等間隔に配置されていても、間隔が１８０°になり長い為、円周方向に温
度勾配が発生して、ハウジングが熱変形で楕円形状に変形し易くなる。以上より、冷却用
貫通孔は、好適には４個以上であることが望ましい。
【考案の効果】
【００１３】
本考案によれば、ギヤシャフト軸の端部を支持する軸受及び軸受装置の近傍を効率良く冷
却することを安価にでき、回転軸受の安定した回転状態を提供することができる。
【図面の簡単な説明】
【００１４】
【図１】本考案の実施形態に係るギヤシャフト軸受装置の構成を示す図であり、（Ａ）は、その断面図、（Ｂ）  は、その軸端部側面図、（Ｃ）  は、そのギヤ側側面図である。
【図２】本考案の実施形態に係るギヤシャフト軸受装置において、ハウジングを除去して内部に設けた冷却用貫通孔及び孔連結用溝を仮想的に示した図である。
【考案を実施するための形態】
【００１５】
以下、上述した本考案を適用した具体的な実施形態について、図面を参照しながら詳細に
説明する。但し、以下の実施形態の記載は例示であり、これにより本考案の範囲が限定さ
れるものではない。図１（Ａ）は、本考案の実施形態におけるギヤシャフト軸受に沿った
断面図、（Ｂ）は、配管継手を有するベアリング押さえを含む押え蓋に沿った側面図、（
Ｃ）は、ギヤ側から溝部を密閉する押え蓋を含む側面図を示す。図２は、図１に示したギ
ヤシャフト軸受装置において、ハウジングを除去して内部に設けた冷却用貫通孔及び孔連
結用溝を仮想的に示した図である。
【００１６】
図１（Ａ）に示すように、本考案の実施形態に係るギヤシャフト軸受装置１００では、ギ
ヤシャフト軸１０はハウジング３０に挿入されている転がり軸受２０により支持されてお
り、ギヤシャフト軸１０の回転により転がり軸受２０が回転する。ギヤシャフト軸１０の
回転が速くなると、転がり軸受２０よりの発熱で高温になる場合があり、転がり軸受２０
が高温になると、従来例に関して述べたように、軸受としての精度の低下や寿命の短縮、
作動悪化を生じるので、軸受を冷却する必要が生じる。
【００１７】
そこで、本実施形態では、転がり軸受２０からの発熱を冷却する為に、図１（Ｂ）及び図
２に示すように、ハウジング３０にギヤシャフト軸１０の軸方向に沿って設けた冷却用貫
通孔３１を通して冷却に寄与する。即ち、本実施形態のギヤシャフト軸受装置１００の大
きな特徴は、ギヤシャフト軸１０を支えるハウジング３０の両端部を貫通させて、冷却液
を通過させる冷却用貫通孔３１をハウジング３０の軸方向に沿って複数形成する（図示の
例では６個）ことにある。このように、ギヤシャフト軸１０を支えるハウジング３０の両
端部を貫通させて、冷却液を通過させる冷却用貫通孔３１がハウジング３０の軸方向に沿
って複数個形成されているので、比較的安価な構成でありながら、ギヤシャフト軸１０の
端部を支持する転がり軸受２０及び軸受装置１００の近傍を効率良く冷却することができ
、転がり軸受２０の安定した回転状態を維持することが可能になる。
【００１８】
尚、図１（Ａ）に示すように、冷却用貫通孔３１は継手部材を介して配管によりハウジ
ング３０の外部で連結され冷却液の供給・排給を行なうようになっている。即ち、冷却用
貫通孔３１は、冷却媒体注入配管４１によって配管され、ハウジング３０の外部より冷却
液が注入され、冷却用貫通孔３１を循環して反対側に設けられた冷却媒体排出配管４２に
よって排出される。
【００１９】
また、ギヤシャフト軸受装置１００は、複数の冷却用貫通孔３１を相互に連通する溝部（
湾曲部として示す孔連結用溝３２）を有するハウジング３０が密閉部材を挟み込んで押え
蓋により密封されることにより冷却液の循環を行なうようになっている。即ち、冷却用貫
通孔３１は、図１（Ａ）（Ｂ）（Ｃ）及び図２に示すように、ハウジング３０の両端部に
生成された孔連結用溝３２（湾曲部として示す）によって繋げられており、孔連結用溝３
２は溝密封用部材３３を挟み込んで軸受押え蓋４０、溝押え蓋５０により密封されている
。尚、各湾曲部として示す孔連結用溝３２は、エンドミルによる円弧加工により形成する
のが望ましい。
【００２０】
以上、図１（Ａ）（Ｂ）（Ｃ）及び図２に示すように、ハウジング３０の軸方向に沿って
形成された冷却用貫通孔３１をハウジング３０の円周方向で等間隔に複数個配置すること
により、ハウジング３０の外側よりも転がり軸受２０に近いハウジング３０の内部に設け
た冷却用貫通孔３１を通してハウジング３０の円周方向で均一な冷却を行なうことができ
る。即ち、ハウジング３０の外側を空冷することよりも、ギヤシャフト軸１０の端部の転
がり軸受２０を効率よく冷却することができる。尚、図１（Ａ）（Ｂ）（Ｃ）及び図２に
示す例では、冷却用貫通孔３１をハウジング３０の円周方向で等間隔に６個配置するよう
にしたが、４個又は６個以上の偶数個配置するのが望ましい。以上に説明したように、図
１（Ａ）（Ｂ）（Ｃ）及び図２に示すギヤシャフト軸受装置１００により、転がり軸受２
０を含むギヤシャフト軸受装置１００の効率的な冷却が可能となる。
【００２１】
以上、本考案の実施形態であるギヤシャフト軸受装置１００について説明してきたが、本
考案はこれに限定されずに変更・改良が可能である。例えば、上述した実施形態ではハウ
ジング３０は円筒形状をしており、フランジ部で固定するように例示しているが、本考案
は、プランマブロックの様に着座する座面のあるブロック状のハウジングの場合にも適用
可能である。また、ギヤシャフト軸受装置１００として複列転がり軸受２０を例示したが
、これに限定されるものではなく円筒ころ軸受や円すいころ軸受などであってもよい。
【符号の説明】
【００２２】
１０  ギヤシャフト軸、２０  転がり軸受け、２１  外輪用間座、
２２  内輪用間座、２３  内輪押え用蓋、３０  ハウジング、
３１  冷却用貫通孔、３２  孔連結用溝、３３  溝密封用部材、
４０  軸受押え蓋、４１  冷却媒体注入配管、４２  冷却媒体排出配管、
５０  溝押え蓋、  １００  ギヤシャフト軸受装置
【図１】
0003229483.tif 000003
【図２】
0003229483.tif 000004